(57)【特許請求の範囲】
【請求項１】
電線を挿通するように中心軸線方向の両端が開放し該電線のスリーブに被覆する直管状のスリーブカバーであって、
同じ長さを有する一対の分割筒体と、
前記一対の分割筒体よりも外径が小さく、外周面には周方向に沿って横向凸部と横向凹部とが一直線状に設けられると共に前記横向凸部と横向凹部とを基点として両側に中心軸線に沿って縦向凸条と前記横向凹部に連通する縦向凹条とが設けられる内筒体と、によりカバー本体が形成され、
前記一対の分割筒体の中心軸線方向における対向端面を前記内筒体の横向凸部に当接するように前記一対の分割筒体がそれぞれ前記内筒体の外周面に嵌合した状態では、前記内筒体の外周面に形成される縦向凹条及び横向凹部を介して前記カバー本体の内部と外部とが連通するようにしたことを特徴とするスリーブカバー。
【発明の詳細な説明】
【技術分野】
【０００１】
本発明は、高・低圧配電線といった電線をスリーブにより連結する場合に該スリーブを被覆するスリーブカバーに関するものである。
【背景技術】
【０００２】
従来、電線の連結部位すなわちスリーブにはスリーブカバーが被覆される。該スリーブカバーは、例えば電線を挿通するように中心軸線方向の両端が開放する直管状に形成されると共にスリーブを覆うことができる長さを有するカバー本体と、該カバー本体の両端開口に嵌合され先端部が窄められた栓体と、から構成されている。そして、一方の栓体を嵌入したカバー本体に芯線を剥き出しにした一方の電線端部を挿通し、同じく芯線を剥き出しにした他方の電線端部を他方の栓体に挿通する。次に、両電線端部の芯線をそれぞれスリーブに両端側から挿入すると共に挿入した状態でスリーブをカシメて、両芯線をしっかりと固着する。また、前記カバー本体及び栓体をスリーブの個所に移動させ、該カバー本体によりスリーブを被覆すると共に該カバー本体の端部に栓体を嵌入して固定する。このようにして、スリーブをスリーブカバーによって被覆している（例えば、特許文献１参照。）。
【先行技術文献】
【特許文献】
【０００３】
【特許文献１】特開２００４−１４２２１号公報（第３−５頁、図１、図１１）
【発明の概要】
【発明が解決しようとする課題】
【０００４】
ところで、電線の端部と端部をスリーブで接続して電線を連結する場合、電線の被覆層をそれぞれ剥がして芯線を露出させ、これら芯線をスリーブの内部へ両端から挿入し、両芯線の端部が互いに付き合わさった状態で、スリーブを外側からカシメて両芯線が抜けないようにしっかりと固着して連結する。しかしながら、スリーブを強い力でカシメると、銅製であって比較的柔らかいことからスリーブが真直ぐにならずに変形し、その中心軸線に沿って屈曲してしまうことが有るが、このような状態のままスリーブにスリーブカバーを被覆して電柱間にその電線を架設している。
【０００５】
このように、電柱間における電線の連結部位すなわちスリーブが下方へ屈曲したままになった状態では、電線の外周面を伝わってスリーブカバー内に浸入する雨水が両端の栓体から外部へ排出されずにその中央部すなわちスリーブの部位に溜まってしまう。これにより、芯線及びスリーブが水に漬かったまま放置されることになる。このように、スリーブの部位に雨水が溜まったままになると、スリーブまたは電線の劣化や送電障害が起きるという致命的な欠点が生ずる課題がある。
【０００６】
そこで、本発明は前記課題を解決すべくなされたもので、直管状のスリーブカバーであって、その中央部のスリーブに対応する部位で水抜きができるようにしてスリーブまたは電線の劣化や送電障害を発生させないスリーブカバーを提供することを目的とするものである。
【課題を解決するための手段】
【０００７】
かかる目的を達成するため本発明のスリーブカバーは、電線を挿通するように中心軸線方向の両端が開放し該電線のスリーブに被覆する直管状のスリーブカバーであって、同じ長さを有する一対の分割筒体と、前記一対の分割筒体よりも外径が小さく、外周面には周方向に沿って横向凸部と横向凹部とが一直線状に設けられると共に前記横向凸部と横向凹部とを基点として両側に中心軸線に沿って縦向凸条と前記横向凹部に連通する縦向凹条とが設けられる内筒体と、によりカバー本体が形成され、前記一対の分割筒体の中心軸線方向における対向端面を前記内筒体の横向凸部に当接するように前記一対の分割筒体がそれぞれ前記内筒体の外周面に嵌合した状態では、前記内筒体の外周面に形成される縦向凹条及び横向凹部を介して前記カバー本体の内部と外部とが連通するようにしたことを特徴とする。
【発明の効果】
【０００８】
本発明に係るスリーブカバーは、同じ長さを有する一対の分割筒体と、該一対の分割筒体よりも外径が小さく、外周面には周方向に沿って横向凸部と横向凹部とが一直線状に設けられると共に横向凸部と横向凹部とを基点として両側に中心軸線に沿って縦向凸条と前記横向凹部に連通する縦向凹条とが設けられる内筒体と、によりカバー本体が形成され、一対の分割筒体の中心軸線方向における対向端面を内筒体の横向凸部に当接するように一対の分割筒体がそれぞれ内筒体の外周面に嵌合した状態では、内筒体の外周面に形成される縦向凹条及び横向凹部を介してカバー本体の内部と外部とが連通するようにしている。そこで、電線をスリーブにより接続する際に、該スリーブが変形して屈曲し、しかも、スリーブカバーが下方へ屈曲したままになっていても、スリーブカバー内に侵入した雨水はスリーブの縦向凹条を通って横向凹部から外部に自然と排出されることになる。よって、スリーブカバーの内部に雨水が溜まることが無く、これによりスリーブまたは電線の劣化や送電障害を発生させることがないという効果を奏する。
【０００９】
また、内部と連通する縦向凹条や横向凹部が開設されるとしても、スリーブは外部に露出するようなことはなく内筒体及びカバー本体の二重構造によりしっかりと保護されており、短絡の危険性も回避できるという効果を奏する。
【図面の簡単な説明】
【００１０】
【図１】本発明に係るスリーブカバーの分解斜視図。
【図２】同カバー本体の分解斜視図。
【図３】同スリーブカバーの組み立てた状態の縦断面図。
【図４】（イ）は図３のＸ−Ｘ線拡大断面図、（ロ）は図３のＹ−Ｙ線拡大断面図、（ハ）は図３のＺ−Ｚ線拡大断面図。
【図５】本発明に係るスリーブカバーの取付手順を示す断面図。
【図６】同スリーブカバーの取付手順を示す断面図。
【図７】（イ）は同スリーブカバーの電線への取付状態を示す断面図、（ロ）は図７（イ）の要部の拡大断面図。
【発明を実施するための形態】
【００１１】
以下、本発明に係るスリーブカバーの最良の実施の形態を図面に基づき詳しく説明する。図１は本発明に係るスリーブカバーの分解斜視図、図２は同カバー本体の分解斜視図である。本発明に係るスリーブカバーＡは、難燃性のポリエチレン樹脂により成形され、しかも、カーボンが含有され不透明である。そして、該スリーブカバーＡは、所定の長さと所定の外径を有すると共に中心軸線方向の両端が開放する一対の直管状の分割筒体１ａ，１ａ、及び同じく中心軸線方向の両端が開放され両分割筒体１ａ，１ａの内端開放口２ａ，２ａに嵌入してこれら分割筒体１ａ，１ａを互いに接続する内筒体１０から形成されるカバー本体１と、同じく中心軸線方向の両端が開放し前記カバー本体１の外端開放口２ｂ，２ｂ内にそれぞれ嵌入して接続される一対の栓体２０，２０と、からなる。
【００１２】
次に、カバー本体１等の構成部品について説明する。カバー本体１は後記するスリーブＳを完全に被覆できる長さを有し、その中央部で中心軸線に対して直交する面に沿って分割され、長さの等しい一対の分割筒体１ａ，１ａを有する。これら分割筒体１ａ，１ａは共に同じ構成からなるので、便宜上一方の分割筒体１ａについて説明し、他の分割筒体１ａについてはその説明を省略する。分割筒体１ａは、内端開放口２ａ側が薄肉に形成され、外端開放口２ｂ側がそれより厚肉に形成されている。そして、外端開放口２ｂ側の外周面に、その周方向に沿って等間隔に４個の係合孔３が開設されている。これら係合孔３には、後記する栓体２０の各係合突起２２が係合する。また、分割筒体１ａにおける外端開放口２ｂの周縁に、先端を丸くした山部４ａとＶ字状の谷部４ｂとが交互に形成され、中心軸線方向で各谷部４ｂの中央部が各係合孔３と一致するようになっている。これは後記する栓体２０を分割筒体１ａに嵌入する際、各係合突起２２が谷部４ｂにガイドされて各係合孔３に係合し易くするためである。
【００１３】
内筒体１０は、カバー本体１よりも外径が一回り小さく、外周面にはその中央に周方向に沿って複数個の横向凸部１１が円輪郭上にかつ等間隔に設けられ、隣り合う横向凸部１１，１１の間に複数の横向凹部１２が形成される。この場合、複数個の横向凸部１１を等間隔に設けるようにしても良く、また、例えば横向凸部１１は一個でも良い。そして、内筒体１０の外周面であって前記横向凸部１１と横向凹部１２を基点として両側に中心軸線に沿って、各横向凸部１１と対応して複数の縦向凸条１３が平行に設けられる。また、隣り合う縦向凸条１３，１３の間に、横向凹部１２に対応しかつ連通する縦向凹条１４が形成される。各縦向凹条１４の先端部は、内筒体１０の両端縁で開放されている。
【００１４】
一対の栓体２０，２０も共に同じ構成からなるので、便宜上一方の栓体２０について説明し、他方の栓体２０については説明を省略する。該栓体２０は、内筒体１０とほぼ同じ長さを有し、両端が開放している。そして、分割筒体１ａに嵌入される差込部２０ａ側の外周面に中心軸線に沿った複数の縦長溝２１が等間隔に開設されており、そのうち、差込部２０ａの端縁に至る縦長溝２１にあっては、その端縁で開放されている。このように複数の縦長溝２１が開設されているのは、栓体２０の弾力性を高め分割筒体１ａに嵌入し易くするためである。また、栓体２０の外周面における中心軸線方向のほぼ中間位置に、前記分割筒体１ａの各係合孔３に対応して該各係合孔３に係合する係合突起２２が突設されている。
【００１５】
栓体２０における前記差込部２０ａとは反対側の露出部２０ｂは、太径に形成されると共に外周面がその先端側に進むに従い細くなるテーパー状に形成され、該外周面の周方向に沿って複数の凹窪み２３が設けられている。これは、該露出部２０ｂを手で握って栓体２０をカバー本体１に嵌入する場合に、滑らず嵌入し易くするためである。
【００１６】
カバー本体１等の構成部品は前記構成からなり、図３、図４（イ）（ロ）（ハ）に示すように内筒体１０の中心軸線方向の両側にそれぞれ各分割筒体１ａを内端開放口２ａ側からその外側に嵌合する。そして、それら内端開放口２ａの端面が内筒体１０の外周面に突設された各横向凸部１１の両側面に当接した状態で、その外側から各縦向凸条１３に対応する部位にウエルダー加工を施す。これにより、内筒体１０における各縦向凸条１３の外周面と各分割筒体１ａの内周面とが溶着され、内筒体１０を一体化したカバー本体１が形成される。このようにして形成されたカバー本体１すなわち分割筒体１ａの各外端開放口２ｂに、それぞれ栓体２０が嵌入されることになる。
【００１７】
前記カバー本体１にあっては、内筒体１０の外周面であって中央部の横向凸部１１及び横向凹部１２を基点としてその両側に、中心軸線に沿って複数の縦向凹条１４が形成されており、しかも、これら縦向凹条１４は中央部の横向凹部１２と連通している。よって、これにより縦向凹条１４及び横向凹部１２を介して外部とカバー本体１の内部とが連通する。そして、これら縦向凹条１４と横向凹部１２とにより水抜き通路が形成されることになり、両端の栓体２０，２０以外にカバー本体１の中央部からでも内部に侵入した雨水を外部へ排出することができることになる。
【００１８】
本発明に係るスリーブカバーＡは上記構成からなり、次に電線への取付手順を図５乃至図７に基づき説明する。まず、電線Ｗ１，Ｗ２について説明する。該電線Ｗ１，Ｗ２は共に高圧配電線であるが、本発明は低圧配電線にも適用できる。これら電線Ｗ１と電線Ｗ２の互いに連結する端部は、被覆層を剥ぎ取り芯線Ｄ１，Ｄ２が所定の長さ露出している。そこで、図５に示すようにカバー本体１の一方の外端開放口２ｂに一方の栓体２０の差込部２０ａを嵌入すると共に、各係合突起２２をカバー本体１の各係合孔３に係合する。そして、このようなカバー本体１に栓体２０側から一方の電線Ｗ１を挿通する。また、他方の栓体２０にも露出部２０ｂ側から他方の電線Ｗ２を挿通する。
【００１９】
次に、図６に示すようにスリーブＳの両端開口に電線Ｗ１、電線Ｗ２における端部の芯線Ｄ１，Ｄ２をそれぞれ挿通し、互いにそれら先端が当接した状態で、スリーブＳを外側からカシメて両芯線Ｄ１，Ｄ２をスリーブＳに一体に固着する。これにより、電線Ｄ１と電線Ｄ２とが導通することになる。このようにしてスリーブＳをカシメるとき、該スリーブＳが変形しその中心軸線方向に沿って屈曲する場合がある。また、このようにして各電線Ｗ１，Ｗ２の端部の芯線Ｄ１，Ｄ２がスリーブＳによって固着され接続されれば、前記カバー本体１と栓体２０を共にスリーブＳ側へ移動させ、スリーブＳにカバー本体１を被覆する。
【００２０】
この際、カバー本体１に嵌入された一方の栓体２０の差込部２０ａ側の内端面２４が、スリーブＳの一方の端面Ｓ１に当接する。続き、カバー本体１の他方の外端開放口２ｂに差込部２０ａ側から栓体２０を嵌入すると共に、各係合孔３に各係合突起２２を係合させる。これによっても、他方の栓体２０の差込部２０ａ側の内端面２４がスリーブＳの他方の端面Ｓ１に当接する。このようにして、図７（イ）に示すようにスリーブＳが両栓体２０，２０に両側から挟まれ、スリーブＳがカバー本体１の中心軸線に沿ったその中央に位置し、しかも、両栓体２０，２０により電線Ｗ１，Ｗ２に沿ったその移動が不能になる。よって、逆にカバー本体１すなわちスリーブカバーＡがその位置から電線Ｗ１，Ｗ２に沿ってずれることがなくなるので、スリーブＳが常に安全に被覆されることになる。
【００２１】
これにより、電線Ｗ１，Ｗ２の連結が終了する。その後は、スリーブカバーＡによってスリーブＳが被覆された電線Ｗ１，Ｗ２は電柱（図示せず。）間に架設されることになる。この際、前記スリーブＳが電柱間に架設される電線Ｗ１，Ｗ２のどの部位に位置するかは決まっていないが、通常、いずれかの栓体２０側へ下傾している。そこで、電線Ｗ１，Ｗ２の外周面を介してスリーブカバーＡ内に侵入した雨水は、いずれか下傾した栓体２０側から外部へ自然と排出されることになる。
【００２２】
ところで、図７（イ）に示すようにスリーブＳがカシメにより屈曲して変形し、そのスリーブＳが例えば電柱間に架設される電線Ｗ１，Ｗ２の中間地点にあり、しかも、スリーブカバーＡが下方へ屈曲したままの場合が有る。このような場合、スリーブカバーＡの内部に侵入した雨水は本来のいずれかの栓体２０側から自然と抜けることがなく、スリーブカバーＡ内に溜まることになる。しかしながら、本発明に係るスリーブカバーＡにあっては、図７（ロ）に示すようにスリーブカバーＡ内に侵入した雨水が、その中央部に形成される縦向凹条１４と横向凹部１２とから構成される略Ｌ字型の水抜き通路を通って外部に排出され、その内部に溜まるようなことがないので、スリーブＳが水に浸かるといったことがなくなり、スリーブまたは電線の劣化や送電障害を発生させるようなことがない。
【００２３】
また、カバー本体１の内部と連通する縦向凹条１４及び横向凹部１２が開設されるとしても、スリーブＳは内筒体１０及びカバー本体１といった二重構造により周囲がしっかりと保護され外部に露出するようなことがない。よって、漏電の危険性も回避される。
【００２４】
本発明にあっては、カバー本体１の両端、すなわち分割筒体１ａ，１ａの外端開放口２ｂ，２ｂの周縁に、中心軸線方向で隣り合う係合孔３，３の間に対応する山部４ａと各係合孔３に対応する谷部４ｂとを交互に形成している。よって、栓体２０をカバー本体１の一端に嵌入する場合、たとえ中心軸線方向で各係合孔３に対する各係合突起２２の位置がずれ各係合突起２２が各山部４ａの丸くなった先端部に当接しても、各係合突起２２は各山部４ａの先端部を滑って各谷部４ｂに入り、該谷部４ｂに誘導されて自然と係合孔３に合致して係合する。このように、係合孔３と係合突起２２との位置合わせが行ない易く、これにより栓体２０の嵌入作業が容易且つ迅速に行なえる。
【符号の説明】
【００２５】
１              カバー本体
１ａ            分割筒体
１０            内筒体
１１            横向凸部
１２            横向凹部
１３            縦向凸条
１４            縦向凹条
Ａ              スリーブカバー
Ｄ１            芯線
Ｄ２            芯線
Ｓ              スリーブ
Ｗ１            電線
Ｗ２            電線
【図１】
0005801725.tif 000002
【図２】
0005801725.tif 000003
【図３】
0005801725.tif 000004
【図４】
0005801725.tif 000005
【図５】
0005801725.tif 000006
【図６】
0005801725.tif 000007
【図７】
0005801725.tif 000008